(57)【要約】【課題】  オーディオ及びビデオ・レコーダにおいて現在利用可能なものに加えて、独立して記録し、再生する能力機能を有する記録装置を提供する。【解決手段】  記録装置１００は、電子データ・ストリームを記録媒体上に記録するようになった書き込みヘッド１５５と、電子データ・ストリームを記録媒体から読み取るようになった読み取りヘッド１７５とを含む。読み取りヘッドは、書き込みヘッドと独立して選択的に記録媒体上に位置決め可能である。読み取りヘッドは、書き込みヘッドが電子データ・ストリームをリアルタイムで記録媒体上に記録している間、同時に前に記録された電子データ・ストリームの部分を選択的に記録媒体から読み取るように構成されている。【選択図】      図１
2004227750.tif 000002
【特許請求の範囲】
【請求項１】
電子データ・ストリームを記録媒体上に記録するようになった書き込みヘッドと、
前記電子データ・ストリームを前記記録媒体から読み取るようになった読み取りヘッドと、を備え、
前記読み取りヘッドが、前記書き込みヘッドとは独立して選択的に前記記録媒体上に位置決め可能である
ことを特徴とする記録装置。
【請求項２】
入力信号を電子データとして回転ディスク上に記録する記録装置であって、
第１の位置決め駆動装置と、
前記第１位置決め駆動装置に接続された書き込みヘッドと、
前記第１位置決め駆動装置とは独立して位置決め可能な第２の位置決め駆動装置と、
前記第２位置決め駆動装置に接続された読み取りヘッドと、を備え、
前記読み取りヘッドは、前記書き込みヘッドが新しいデータを光ディスクに書き込んでいる間に、同時に前記回転ディスクからデータを読み取るように構成され、前記第２位置決め装置が、前記書き込みヘッドとは独立して選択的に前記読み取りヘッドを位置決めできる
ことを特徴とする記録装置。
【請求項３】
電子データ・ストリームを記録し再生する方法であって、
書き込みヘッドを用いて、前記電子データ・ストリームに対応するデータを実質的にリアルタイムでディスクに書き込み、
前記書き込みヘッドのあとに、該書き込みヘッドとは独立して位置決め可能な読み取りヘッドを置き、
前記書き込みヘッドが前記電子データ・ストリームに対応するデータを実質的にリアルタイムで光ディスクに書き込み続けている間、同時に、前記読み取りヘッドを用いて、前に記録された電子データ・ストリームの部分を選択的に読み取る、ことを含む
ことを特徴とする方法。
【発明の詳細な説明】
【技術分野】
【０００１】
本発明は、電子データを記録媒体に記録するための記録装置に関し、より具体的には、独立して移動可能な読み取りヘッド及び書き込みヘッドを有する記録装置に関する。
【背景技術】
【０００２】
消費者は、例えば、オーディオ及びビデオ・カセット・レコーダを用いて、オーディオ及びビデオ・プログラム材料を記録し、いつでも都合の良い時に再生することができた。これらの装置は、ユーザが、音楽、ＴＶ番組、映画のようなオーディオ及びビデオ・プログラム材料を記録し、後で見ることを可能にする。例えば、従来のコンピュータ・ハード・ドライブ上へのランダム・アクセスを可能にする形態でプログラム材料を格納するＰＶＲ（パーソナル・ビデオ・レコーダ）製品が導入された。このことは、ユーザがプログラム材料の特定の部分に迅速にジャンプすることを可能にする。さらに、プログラム材料がリアルタイムで記録されるので、これを一時停止し、再開することができる。一時停止した材料は、遅延モードで再開することができ、或いはリアルタイムに追いつくように早送りすることができる。
【発明の開示】
【発明が解決しようとする課題】
【０００３】
従来のオーディオ及びビデオ・レコーダにおいて現在利用可能なものに加えて、独立して記録し、再生する能力機能を有する情報記憶装置を提供することが望ましい。
【課題を解決するための手段】
【０００４】
本発明の第１の実施形態において、記録装置が、電子データ・ストリームを記録媒体上に記録するようになった書き込みヘッドと、該電子データ・ストリームを該記録媒体から読み取るようになった読み取りヘッドとを含む。読み取りヘッドは、書き込みヘッドと独立して選択的に記録媒体上に位置決め可能である。さらに、読み取りヘッドは、書き込みヘッドが電子データ・ストリームをリアルタイムで記録媒体上に記録する間において、前に記録された電子データ・ストリームの部分を選択的に該記録媒体から読み取るように構成される。
【０００５】
本発明の第２の実施形態において、記録装置は、電子データとして入力信号を回転ディスク上に記録するように構成され、この記録装置は、第１の位置決め駆動装置と、該第１の位置決め駆動装置に接続された書き込みヘッドと、該第１の位置決め駆動装置と独立して位置決め可能な第２の位置決め駆動装置と、該第２の位置決め駆動装置に接続された読み取りヘッドとを含む。読み取りヘッドは、書き込みヘッドが新しいデータを光ディスクに書き込む間において、同時に回転ディスクからデータを読み取るように構成され、第２の位置決め駆動装置は、書き込みヘッドとは独立して選択的に読み取りヘッドを位置決めすることができる。さらに、読み取りヘッドは、データが書き込まれた時からデータが読み込まれる時までの選択可能な遅延時間で、書き込みヘッドによって書き込まれたデータを追跡し、読み取るように構成される。
【０００６】
本発明の第３の実施形態は、電子データ・ストリームを記録し再生する方法を含む。この方法は、書き込みヘッドを用いて、電子データ・ストリームに対応するデータを実質的にリアルタイムでディスクに書き込むこと、書き込みヘッドのあとに、該書き込みヘッドとは独立して位置決め可能な読み取りヘッドを置くこと、書き込みヘッドが電子データ・ストリームに対応するデータを実質的にリアルタイムで光ディスクに書き込み続ける間において、同時に読み取りヘッドを用いて前に記録された電子データ・ストリームの部分を選択的に読み取ること、を含む。かかる方法は、読み取りヘッドにより読み取られたデータを、書き込まれるデータの速度とほぼ同じ速度で出力することをさらに含む。
【発明を実施するための最良の形態】
【０００７】
本発明の前記の態様及び他の特徴が、添付の図面と併せて以下の説明において説明される。図１を参照すると、本発明の特徴を組み入れた記録及び再生システム１００のブロック図が示されている。本発明は、図面に示される実施形態に関連して説明されるが、多くの別の形態の実施形態において本発明を具体化できることを理解すべきである。さらに、如何なる適切な寸法、形状、又は種類の要素又は材料を用いることもできる。
【０００８】
システム１００は、１つ又はそれ以上の入力１０５1・・・１０５M、エンコード回路１１０、記録回路１１５、及び記録媒体１６０上に情報を記録するための書き込みヘッド１５５を含む。システム１００はまた、記録媒体１６０から情報を読み取るための読み取りヘッド１７５と、再生回路１２０と、デコード回路１２５と、１つ又はそれ以上の出力１３０1・・・１３０Mとを含む。システム１００は、サーボ回路１３５、及びシステム・コントローラ１４０をさらに含む。
【０００９】
一般的に、１つ又はそれ以上の入力１０５1・・・１０５Mは、結合されたオーディオ及びビデオ信号又は別個のオーディオ及びビデオ信号を含むことができる、電子データ・ストリームとも呼ばれる１つ又はそれ以上の情報ストリームを受け取る。このオーディオ及びビデオ信号は、アナログ信号としてもよく、又は、例えばテレビ・チューナー、ビデオ・カメラ、有線テレビ・システム、衛星テレビ・システムなどからの信号のようなデジタル信号としてもよく、或いは、結合された信号又は別個の信号のいずれかとして、オーディオ及びビデオを伝えるのに適した何らかの他の形態又は形態の組み合わせを有してもよい。１つ又はそれ以上の入力１０５1・・・１０５Mを何らかの適切なコネクタ、接続ポイント、アンテナなどに接続するように適合させ、オーディオ及びビデオ信号を受け取ることができる。次に、１つ又はそれ以上の入力１０５1・・・１０５Mをエンコード回路１１０に接続することができる。
【００１０】
次に図２に移ると、エンコード回路１１０は、１つ又はそれ以上のアナログ・デジタル変換器（Ａ／Ｄ）２２０1・・・２２０Mと、１つ又はそれ以上のエンコーダ２２５1・・・２２５Mと、スイッチ２３０とを含む。Ａ／Ｄ２２０1・・・２２０Mは、オーディオ及びビデオ信号を、入力１０５1・・・１０５Mからデジタル形式に変換するように作動する。オーディオ及びビデオ信号がデジタル形式の場合には、Ａ／Ｄ２２０1・・・２２０Mをバイパスすることができ、オーディオ及びビデオ信号をエンコーダ２２５1・・・２２５Mに直接もたらすことができる。エンコーダ２２５1・・・２２５Mは、デジタル化されたオーディオ及びビデオ信号を、ＭＰＥＧ−２、ＭＰＥＧ−３、ＡＶＩ、ＭＯＶ、又はビデオのエンコードに適した何らかのフォーマット、或いはＡＡＣ、ＡＣ−３、ＰＣＭ、又はオーディオのエンコードに適した何らかのフォーマットのようなエンコードされたデジタル・フォーマットにエンコードし及び／又は圧縮する。エンコーダ２２５1・・・２２５Mの個々のものは、例えば、ビデオ用のＭＰＥＧ−２及びオーディオ用のＡＣ−３のような同じフォーマットを用いて、デジタル化されたオーディオ及びビデオ信号をエンコードすることができ、或いは、例えば、エンコーダ２５１1がＭＰＥＧ−２及びＡＣ−３を用い、エンコーダ２２５MがＡＶＩ及びＰＣＭを用いることができるように異なるエンコード・フォーマットを用いて、デジタル化されたオーディオ及びビデオ信号をエンコードすることができる。次に、エンコードされた信号は、スイッチ２３０に向けられる。一般的に、スイッチ２３０は、マルチプレクサとして作動し、記録回路１１５に接続されることになるエンコードされた信号の１つ又はそれ以上を選択する。
【００１１】
一般的に、記録回路１１５は、書き込みヘッド１５５によって用いるために、エンコードされたオーディオ及びビデオ信号を処理するための回路を含み、適切な駆動装置、位相ロックループ回路、増幅器、レベル・シフタ、デジタル信号プロセッサ、マイクロプロセッサ、アナログ・デジタル変換器、デジタル・アナログ変換器、メモリ、及び種々のサポート回路を含む。記録回路１１５は、記録信号を書き込みヘッド１５５にもたらす。
【００１２】
一般的に、書き込みヘッド１５５は、情報を記録媒体１６０上に記録するように作動する。図１に示される実施形態において、書き込みヘッド１５５は、媒体１６０の下面１９０に記録するように、記録媒体１６０の下に配置される。他の実施形態においては、記録媒体１６０の上面に記録するように、書き込みヘッド１５５を配置することができる。
【００１３】
ここで図３を参照すると、書き込みヘッド１５５は、放射線源３１５、ビームスプリッタ３２０、レンズ３２５、及び検知器３３０を含むことができる。放射線源３１５は、記録回路１１５からの信号に応答して、例えば、光ビームのような電磁又は光放射線を生成する。この放射線は、ビームスプリッタ３２０及びレンズ３２５を通じて記録媒体１６０に向けられ、該記録媒体１６０上への記録動作をもたらす。この放射線を、再びレンズ３２５を通じてビームスプリッタ３２０に反射させ、検知器３３０に向けることができる。検知器３３０は、放射線の強さ及び記録動作の質又は有効性について、放射線源３１５にフィードバックをもたらすことができる。放射線源３１５は、例えば、レーザ・ダイオード、又は記録媒体１６０上に記録操作をもたらす他の何らかの適切な電磁又は光放射線源としてもよい。放射線源３１５は、例えば、記録動作用の音響光学変調器又は電気光学変調器のような変調器３３５を用いることもできる。放射線源３１５は、記録媒体１６０上への記録動作をもたらすように、電磁又は光放射線を生成するのに適した何らかの構成において何らかの他の部品を含んでいてもよい。
【００１４】
一般的に、記録媒体１６０は、例えば、データ、オーディオ、及び／又はビデオのような情報を記録し再生することができるデバイスである。記録媒体１６０は、レーザ・ディスク、光ディスク、コンパクト・ディスク（ＣＤ）、ＣＤ−ＲＯＭ、デジタル・ビデオ・ディスク（ＤＶＤ）、磁気ディスク、又は情報を記録できる何らかの他のデバイスとすることができる。１つの実施形態において、記録媒体１６０は、表面の一部分の反射率を変えることによって情報が記録される反射型デバイスである。例えば、下面１９０の一部分は、一定量の反射率がデジタル「１」として認識され、別の量の反射率はデジタル「０」として認識される。
【００１５】
図１に戻ると、サーボ回路１３５が、本発明の教示により記録機構１５０とも呼ばれる、第１の位置決め駆動装置を作動させる記録サーボ１４５を含むことができる。以下に詳細に説明されるように、記録機構１５０は、書き込みヘッド１５５を記録媒体１６０に対して配置又は配向し、データを該記録媒体１６０上に記録する。記録機構１５０は、書き込みヘッドを面１９０に対して移動させることができるように、移動可能なキャリッジ又はアームを含むことができる。例えば、書き込みヘッド１５５は、記録媒体１６０の中心に対して半径方向に、又は該記録媒体１６０の中心の周りに周方向に並進運動するように移動可能である。特に、書き込みヘッド１５５が情報を記録媒体１６０上に記録している間、記録機構１５０は、該記録媒体１６０の内径から該記録媒体１６０の外径まで該書き込みヘッド１５５を移動させることができる。
【００１６】
サーボ回路１３５は、再生サーボ１６５を含み、再生サーボ１６５は、本発明による第２の位置決め駆動装置である読み取り機構１７０を作動させる。以下に詳細に説明されるように、読み取り機構１７０は、読み取りヘッド１７５を記録媒体１６０に対して配置又は位置決めし、データを記録媒体１６０から読み取る。サーボ回路１３５は、スピンドル・モータ１８５を制御するためのスピンドル・サーボ１８０を含む。スピンドル・モータ１８５は、シャフト１８７に連結され、シャフト１８７は、媒体チャック又はサポート１９２を駆動する。媒体サポート１９２は、シャフト１８７を用いるスピンドル・モータ１８５によって回転されるので、記録媒体１６０を保持するための適切な機構を含む。スピンドル・サーボ１８０は、スピンドル・モータ１８５を制御して、媒体サポート１９２及び記録媒体１６０を一定の又は可変の速度で回転させるように作動可能である。例えば、スピンドル・サーボ１８０は、面１９０に対して一定の線速度を維持するように、記録媒体１６０を回転させるように作動し、書き込みヘッド１５５又は読み取りヘッド１７５の位置によって記録媒体１６０の回転速度を変化させることができる。別の例として、スピンドル・サーボ１８０は、面１９０に対して一定の角速度を維持するように、記録媒体１６０を回転させるように作動し、書き込みヘッド１５５又は読み取りヘッド１７５の位置に関わりなく記録媒体１６０の一定の回転速度を維持することができる。
【００１７】
一般的に、読み取りヘッド１７５は、記録媒体１６０から情報を読み取るように作動可能であり、光スキャナを含むことができる。読み取りヘッド１７５は、下面１９０から情報を読み取るように記録媒体１６０の下に配置された状態で示されるが、読み取りヘッド１７５を記録媒体１６０の上面から情報を読み取るように配置することもできることを理解されたい。書き込みヘッド１５５と同様に、読み取りヘッド１７５を面１９０に対して移動させることができるように、読み取りヘッド１７５を移動可能なキャリッジ又はアームによって配置することができる。１例として、読み取りヘッド１７５は、記録媒体１６０の中心に対して半径方向に、又は記録媒体１６０の中心の周りに周方向に並進運動するように移動可能である。他の例として、読み取りヘッド１７５が情報を記録媒体１６０から読み取る間、読み取り機構１７０は、記録媒体１６０の内径から記録媒体１６０の外径まで読み取りヘッド１７５を移動させることができる。
【００１８】
図４を参照すると、読み取りヘッド１７５は、放射線源４１５と、ビームスプリッタ４２０と、レンズ４２５と、検知器４３０とを含む。放射線源４１５は、例えば、光ビームのような電磁又は光放射線を生成する。放射線源４１５は、例えば、記録媒体１６０から情報を読み取るための、レーザ・ダイオード又は何らかの他の適切な電磁又は光放射線源とすることができる。放射線の強さ、周波数、又は他の特性は、再生回路１２０によって制御される。放射線は、ビームスプリッタ４２０及びレンズ４２５を通って記録媒体１６０上に合焦される。次に、放射線は、記録媒体１６０の、情報の記録中に変更された部分の特性に従って反射されあるいは他の方法で変調される。変調された放射線は、レンズ４２５を通って進み、ビームスプリッタ４２０によって検知器４３０に向けられる。検知器４３０は、変調された放射線を信号に変換し、この信号が、再生回路１２０に送られる。
【００１９】
図１に戻って、再生回路１２０は、放射線源４１５及び検知器４３０を制御するための制御回路と、デコード回路１２５により用いるために、検知器４３０からの信号を調整するための回路とを含んでいてもよい。記録回路１１５と同様に、再生回路１２０は、駆動装置、位相ロックループ回路、増幅器、レベル・シフタ、デジタル信号プロセッサ、マイクロプロセッサ、アナログ・デジタル変換器、デジタル・アナログ変換器、メモリ、及び種々のサポート回路を含むことができる。
【００２０】
図５を参照すると、デコード回路１２５が、スイッチ５１５、多数のデコーダ５２０1・・・５２０M、及び多数のデジタル・アナログ変換器（Ｄ／Ａ）５２５1・・・５２５Mを含む。一般的に、スイッチ５１５は、デマルチプレクサとして作動し、再生回路１２０からの調整済み信号を１つ又はそれ以上のデコーダ５２０1・・・５２０Mに切り換える。デコーダ５２０1・・・５２０Mは、例えば、ＭＰＥＧ−２、ＡＶＩ、ＭＯＶなどのようなエンコードされたデジタル・フォーマットから、デジタルのビデオ・オーディオ信号に、再生回路１２０からの調整済み信号をデコード及び／又は圧縮解除する。一般的に、Ｄ／Ａ変換器５２５1・・・５２５Mは、出力１３０1・・・１３０Mに接続された１つ又はそれ以上のデバイスによって用いるために、デジタルのビデオ及びオーディオ信号をアナログのビデオ及びオーディオ信号に変換する。出力１３０1・・・１３０Mに接続されたデバイスが、デジタルのビデオ及びオーディオ信号を利用する１つの実施形態においては、Ｄ／Ａ変換器５２５1・・・５２５Mをバイパスすることができ、出力１３０1・・・１３０Mにデジタルのビデオ及びオーディオ信号を直接もたらすことができる。
【００２１】
図１に戻ると、一般的に、システム・コントローラ１４０が、システム１００の作動及び機能を制御する。特に本発明によると、システム・コントローラ１４０は、記録サーボ１４５、記録機構１５０、記録回路１１５、記録デバイス１５５、再生サーボ１６５、再生機構１７０、再生回路１２０、及び再生デバイス１７５の作動を制御するように作動する。システム・コントローラ１４０は、互いから独立してこれらの要素の各々を制御する能力を有する。
【００２２】
図６に示されるように、システム・コントローラ１４０は、プロセッサ６１５と、記憶装置６２０と、ユーザ・インターフェース６２５とを含むことができる。
【００２３】
一般的に、プロセッサ６１５は、システム１００の作動及び機能を制御するために、記憶装置６２０に記憶された機械可読のプログラム・コードを用いるように構成される。記憶装置６２０は、例えば、フレキシブルディスク（ディスケット）のような磁気媒体、又はハード・ドライブ、光ディスク、読み出し専用メモリ（ＲＯＭ）、ランダム・アクセス・メモリ（ＲＡＭ）、半導体メモリ、又は記憶媒体の何らかの組み合わせのような記憶媒体を含む。記憶装置２０を用いて、エンコード回路１１０からのエンコードされた情報を格納し、書き込みヘッド１５５に送られる前に処理又はバッファリングすることもできる。記憶装置６２０は、デコード回路に送られる前に再生回路１２０からの情報を格納することもできる。この情報の格納及びバッファリングは、システム・コントローラ１４０が、以下に述べられる低速、高速再生、早送り、即時再生などのような種々のコマンドを実行することを可能にする。
【００２４】
ユーザ・インターフェース６２５は、入力装置６３０及び表示装置６３５を含む。入力装置６３０は、ユーザからコマンドを受け取り、システム１００の機能にアクセスするための機能を提供する。入力装置６３０は、前面パネル上の多数のボタンと、キーパッド又はキーボード、遠隔制御、或いはシステム１００にユーザ入力を与えるための何らかの適切なデバイスを含むことができる。
【００２５】
表示装置６３５は、システム１００の作動に関して、方向やフィードバックや情報をユーザに提供するために、プラズマディスプレイ装置、ＬＣＤ表示装置、ＣＲＴ、又は何らかのデバイスを含む。１つの実施形態において、ユーザ・インターフェース６２５は、例えば、テレビ、モニタ、ステレオ、ホーム・シアターなどのような出力１３０1・・・１３０Mに接続されたデバイスを含むことができる。
【００２６】
一般的に、ユーザがシステム１００に与えることができるコマンドは、例えば、記録、再生、低速、高速再生、一時停止、１フレーム送り、早送り、巻き戻し、即時再生などのような、ＶＣＲ又はＤＶＤレコーダで通常見出されるものを含む。以下に述べられるように、他のコマンドを設けることもできる。
【００２７】
図７は、記録機構１５０、書き込みヘッド１５５、再生機構１７０、読み取りヘッド１７５、及びそれらの作動をより詳細に示す。一般的に、記録機構１５０及び再生機構１７０を使用すると、書き込みヘッド１５５及び読み取りヘッド１７５は、それぞれ媒体１６０の下面１９０に沿って、独立して選択的に位置決め可能である。１実施形態において、記録機構１５０及び再生機構１７０は、書き込みヘッド１５５及び読み取りヘッド１７５を、それぞれ矢印Ａ及びＢに示されるような直線方向に運ぶキャリッジである。このように、記録機構１５０及び再生機構１７０は、摺動部、軸受、ベルト、モータ、又は他の駆動機構を含む。
【００２８】
システム・コントローラ１４０及び記録サーボ１４５の制御のもとで、記録機構１５０は、媒体１６０の中心部分周辺部分まで、媒体１６０の面１９０を横切って書き込みヘッド１５５を半径方向に運動させる。同様に、システム・コントローラ１４０及び再生サーボ１６５の制御のもとで、再生機構１７０は、書き込みヘッド１５５と異なる方向に、媒体１６０の中心部分から周辺部分まで媒体１６０の面１９０を横切って、読み取りヘッド１７５を半径方向に運動させる。図７に示される実施形態において、記録機構１５０及び再生機構１７０は、媒体１６０がスピンドル１８７の周りを回転するとき、書き込みヘッド１５５及び読み取りヘッド１７５が媒体１６０の全ての部分に独立して選択的にアクセスできるのに十分な角度をもって、互いに接触することのないように又は互いに干渉することのないように、配置される。
【００２９】
図８は、書き込みヘッド１５５及び読み取りヘッド１７５が、互いに抵触することなく独立して媒体１６０の全ての部分にアクセスできるように十分な隙間を有した状態で、記録機構１５０及び再生機構１７０が互いに平行に配置された別の実施形態を示す。
【００３０】
図９に示される実施形態において、記録機構１５０は、書き込みヘッド１５５が取り付けられたピボット９１５、ピボット駆動装置９２０、及びアーム９２５を含む。同様に、再生機構１７０もまた、読み取りヘッド１７５が取り付けられたピボット９３０、ピボット駆動装置９３５、及びアーム９４０を含む。この実施形態において、ピボット駆動装置９２０、９３５は、それぞれピボット９１５、９３０の周りでアーム９２５、９４０を回転させるように作動する。このことにより、書き込みヘッド１５５及び読み取りヘッド１７５は、異なる円形経路に沿って媒体１６０の下面１９０を移動させられる。図７及び図８に示される実施形態におけるように、記録機構１５０及び再生機構１７０は、書き込みヘッド１５５及び読み取りヘッド１７５が独立して互いに抵触することなく媒体１６０の全ての部分にアクセスできるように、配置される。記録機構１５０と再生機構１７０は、書き込みヘッド１５５及び読み取りヘッド１７５が媒体１６０の面のどこにでも個々に独立して配置されることを可能にする如何なる構成、数、及び／又は型の部品を含むことを理解されたい。
【００３１】
本発明によると、書き込みヘッド１５５及び読み取りヘッド１７５が、媒体１６０の下面１９０に沿って独立して位置決め可能であるので、互いに独立して記録及び再生機能を制御することができ、一時停止、巻き戻し、早送り、及び記録されたばかりのものの時間シフトや留守番録画機能が可能になる。
【００３２】
本発明により可能になった別の機能は、「ジャンプ」機能である。書き込みヘッド１５５は、リアルタイムで情報を記録することができ、それと同時に、記録された情報のいずれの部分にも読み取りヘッド１７５をジャンプさせ、読み込むことができる。例えば、ユーザは、表示装置６３５及び入力装置６３０を用いて、特定の時間における１つ又はそれ以上の入力１０５1・・・１０５Mからビデオ・プログラム（番組）を記録するように、システム１００をプログラムできる。次に、システム・コントローラ１４０は、その特定時間におけるシステム１００の作動を制御し、プログラム（番組）は、エンコード回路１１０によりエンコードされ、記録回路１１５により処理され、書き込みヘッド１５５を用いて媒体１６０上に記録される。書き込みヘッド１５５がビデオプログラム（番組）を記録するとき、システム・コントローラ１４０は、記録サーボ１４５及び記録機構１５０をまた作動させ、書き込みヘッド１５５を適切に位置決めし、媒体１６０を回転させるようにスピンドル・サーボ１８０を作動させる。例えば、１時間のプログラム(番組)のような情報の中の一部が記録された後、ユーザは、再び表示装置６３５及び入力装置６３０を用いて、例えば、記録の開始から６分後に始まる部分のような、プログラム（番組）の特定の部分にジャンプさせることができる。それに応じて、システム・コントローラ１４０は、再生機構１７０を作動させて読み取りヘッド１７５を適切な位置に位置決めし、再生回路１２０及びデコード回路１２５を作動させ、１つ又はそれ以上の出力１３０1・・・１３０Mを通じてプログラムを再生する。所望の時間プログラム（番組）を見た後、ユーザは、入力して記録の開始から３０分後に始まるプログラム（番組）の部分にジャンプさせることができ、システム・コントローラ１４０はこれに応じて応答することができる。ユーザは、書き込みヘッド１５５がリアルタイムでプログラムを記録している間、プログラムの他部分にジャンプして、その部分を再生し続けることができる。
【００３３】
「追跡（トラッキング）」機能を可能にすることもできる。すなわち、読み取りヘッド１７５が、書き込みヘッド１５５を「追跡（トラッキング）する」、つまり、情報の一部分に対応する一定の選択可能な時間において書き込みヘッド１５５により記録されたデータを読み取ることを可能にする。例えば、ユーザは、表示装置６３５及び入力装置６３０を用いて、記録の開始から５分後にプログラムの一部分を再生を開始することができる。システム・コントローラ１４０は、上述のように記録操作を中断せずに指示し続け、再生サーボ１６５及び読み取り機構１７０を作動させて読み取りヘッド１７５を適切な位置に位置決めし、再生回路１２０及びデコード回路１２５を作動させて１つ又はそれ以上の出力１３０1・・・１３０Mにプログラム（番組）を提供し続ける。次に、システム・コントローラ１４０は、プログラムの再生が、この例においては５分の一定の遅延で続くように再生操作を維持する。換言すれば、ユーザは、記録されたのと同じ速度で、５分だけ遅れて見ることになる。
【００３４】
「一時停止（ポーズ）」機能が、再生中ユーザからのコマンドに基づいてシステム・コントローラ１４０が再生サーボ１６５及び再生機構１７０を作動させて例えば単一のビデオ・フレームのような記録された情報の一部を読み取りヘッド１７５に媒体１６０から繰返して読み取らせる場合に、実行することができる。別の実施形態において、システム・コントローラ１４０は、読み取りヘッド１７５からのある量の情報を記憶装置６２０に格納してその情報を記憶装置６２０から繰り返して読み取ることによって、一時停止機能を実行できる。所定の時間後又は別のコマンド時に、システム・コントローラ１４０は、プログラム（番組）が記録された速度と同じ速度で、プログラムが一時停止した時点から、プログラムの再生を再開させることができる。１つの例において、再生が再開された際、読み取りヘッド１７５は、読み取りヘッド１７５が一時停止した時から一時停止を解除した時までの期間を遅延した時間で、記録されたビデオ・プログラムを読み取る。
【００３５】
「低速再生」機能を実行することもできる。例として、ユーザは、入力装置６３０を通じてシステム１００に入力し、記録された情報の低速再生を要求することができる。それに応じて、システム・コントローラ１４０は、再生サーボ１６５及び再生機構１７０を作動させ、読み取りヘッド１７５が、書き込みヘッド１５５によって記録された速度より遅い速度で媒体１６０から情報を読み取りを開始できる。
【００３６】
システム１００は、また、「リアルタイムへのスキップ」又は「リアルタイムへの早送り」機能を提供することもできる。リアルタイムへのスキップ機能の例として、上述のようなジャンプ、追跡、又は一時停止機能のうちの１つ又はそれ以上を利用した後、ユーザは、表示装置６３５及び入力装置６３０を用いて、リアルタイムにスキップするようにシステム１００をプログラムすることができる。それに応じて、システム・コントローラ１４０は、１つ又はそれ以上の入力１０５1・・・１０５Mから、出力１３０1・・・１３０Mのうちの１つ又はそれ以上まで信号を容易に経路付けすることができる。代わりに、システム・コントローラ１４０は、再生サーボ１６５及び再生機構１７０を作動させ、読み取りヘッド１７５を移動させて書き込みヘッド１５５の近くに位置決めし、読み取りヘッド１７５が書き込みヘッド１５５によって記録された直後に情報を読み取るようにすることができる。次に、再生回路１２０及びデコード回路１２５を通じて情報を１つ又はそれ以上の出力１３０1・・・１３０Mに伝える。
【００３７】
リアルタイムへの早送り機能の例として、上述のようなジャンプ、追跡、又は一時停止機能のうちの１つ又はそれ以上を利用した後、ユーザは、入力装置６３０を通じてシステム１００に入力し、リアルタイムへの早送りを要求することができる。それに応じて、システム・コントローラ１４０は、再生サーボ１６５及び再生機構１７０を作動させ、読み取りヘッド１７５が、書き込みヘッド１５５によって記録された速度より速い速度で媒体１６０から情報を読み取り始めさせる。読み取り速度は予め定め、システム・コントローラ１４０により計算することができ、或いはユーザにより設定することができる。「リアルタイム」に追いついた時又はこれに達した時、つまり、記録された直後、例えば記録後１秒以内に情報が読み取られる点に達した時、システム・コントローラ１４０は、再生サーボ１６５及び再生機構１７０を作動させ、読み取りヘッド１７５が、書き込みヘッド１５５によって記録された速度と同じ速度で媒体１６０から情報を読み取り始めさせる。
【００３８】
このように、書き込みヘッド１５５及び読み取りヘッド１７５が、互いに抵触することなく独立して選択的に、媒体１６０の全ての部分へのアクセスを有するシステムを提供することは、一時停止、巻き戻し、早送り、及び記録された材料のタイムシフトのような機能の提供を可能にする。
【００３９】
上記の説明は、本発明を例示するだけであることを理解されたい。当業者であれば、本発明から逸脱することなく、様々な代替及び修正を考え出すことができる。したがって、本発明は、添付の特許請求の範囲の範囲内に含まれるこうした代替、修正、及び変形の全てを含むように意図される。
【図面の簡単な説明】
【００４０】
【図１】本発明の１実施の形態に係る記録及び再生システムのブロック図である。
【図２】エンコード回路のブロック図である。
【図３】書き込みヘッドのブロック図である。
【図４】読み取りヘッドのブロック図である。
【図５】デコード回路のブロック図である。
【図６】システム・コントローラのブロック図である。
【図７】記録機構と書き込みヘッドと再生機構と読み取りヘッドの１実施形態の作動を示す図である。
【図８】記録機構及び再生機構のもう１つの実施形態を示す図である。
【図９】記録機構及び再生機構の別の実施形態を示す図である。
【符号の説明】
【００４１】
１００：システム
１１０：エンコード回路
１１５：記録回路
１２０：再生回路
１２５：デコード回路
１３５：サーボ回路
１４０：システム・コントローラ
１５０：記録機構
１５５：書き込みヘッド
１６０：記録媒体
１７０：再生機構
１７５：読み取りヘッド
１９０：下面
【図１】
2004227750.tif 000003
【図２】
2004227750.tif 000004
【図３】
2004227750.tif 000005
【図４】
2004227750.tif 000006
【図５】
2004227750.tif 000007
【図６】
2004227750.tif 000008
【図７】
2004227750.tif 000009
【図８】
2004227750.tif 000010
【図９】
2004227750.tif 000011